(57)【要約】【課題】  浴槽への取付けが簡単に行え、かつ被介助者の座面への移乗を行い易い入浴介助装置を提供する。【解決手段】  浴槽のリム上の所定位置に設置するフレーム２０と、フレーム上に取付けられた昇降装置３０と、昇降装置３０の一部に取付けられた背凭れ付きのシート５０とを備え、昇降装置３０には多段ガイド４０が取付けられて、当該多段ガイド４０を介してシート５０が昇降するようになった入浴介助装置１において、入浴介助装置１の浴槽への取付け状態で見てシート５０が最上位置にある場合に背凭れ５４０の高さと多段ガイド４０の高さが同程度であり、シート５０が浴槽の底面に到達するように伸出できる程度の段数を多段ガイド４０が少なくとも有している。【選択図】    図１
2005230191.tif 000002
【特許請求の範囲】
【請求項１】
浴槽のリム上の所定位置に設置するフレームと、
前記フレーム上に取付けられた昇降装置と、
前記昇降装置の一部に取付けられた背凭れ付きの座面とを備え、
前記昇降装置には多段ガイドが取付けられて、当該多段ガイドを介して前記座面が昇降するようになった入浴介助装置において、
前記入浴介助装置の浴槽への取付け状態で見て座面が最上位置にある場合に前記背凭れの高さと多段ガイドの高さが同程度であり、
前記座面が浴槽の底面に到達するように伸出できる程度の段数を前記多段ガイドが少なくとも有していることを特徴とする入浴介助装置。
【請求項２】
前記昇降装置がワイヤを巻き上げたり繰り出したりして前記座面の昇降を行うようになっており、当該ワイヤの端部が前記座面より下方
に連結していることを特徴とする、請求項１に記載の入浴介助装置。
【請求項３】
前記昇降装置がワイヤを巻き上げたり繰り出したりして前記座面の昇降を行うようになっており、当該ワイヤが前記昇降装置の座面取付け側に備わったプーリを介して巻き上げたり繰り出されるようになったことを特徴とする、請求項１又は請求項２に記載の入浴介助装置。
【請求項４】
前記ワイヤの前記座面との接続部分は、当該座面の背凭れ側端部と、前記多段ガイドの伸縮方向と当該座面の形成面との交差点との間で、座面側に位置したことを特徴とする、請求項１乃至請求項３の何れかに記載の入浴介助装置。
【請求項５】
前記多段ガイドを多重の円管で構成したことを特徴とする、請求項１乃至請求項４の何れかに記載の入浴介助装置。
【請求項６】
前記多段ガイドを多重の角管で構成したことを特徴とする、請求項１乃至請求項４の何れかに記載の入浴介助装置。
【請求項７】
前記多段ガイドを２列に配置したことを特徴とする、請求項１乃至請求項６の何れかに記載の入浴介助装置。
【請求項８】
前記２列の多段ガイド同士を橋渡ししたことを特徴とする、請求項７に記載の入浴介助装置。
【請求項９】
前記多段ガイドの完全な伸び出し時に当該多段ガイドを構成する各パイプの重なり部分の長さが少なくとも一箇所他の重なり部分の長さと異なることを特徴とする、請求項１乃至請求項８の何れかに記載の入浴介助装置。
【請求項１０】
前記多段ガイドを構成する各パイプの肉厚に関して、最も細いパイプの肉厚が最も大きくなっていることを特徴とする、請求項１乃至請求項９の何れかに記載の入浴介助装置。
【発明の詳細な説明】
【技術分野】
【０００１】
本発明は、例えば高齢者や身体障害者などの入浴時に介助を必要とする者の入浴を助ける入浴介助装置に関する。
に関する。
【背景技術】
【０００２】
浴槽の縁部に取付けられ、例えば高齢者や身体障害者など入浴時に介助を必要とする者の入浴を助ける入浴介助装置は従来から知られている（特許文献１参照）。かかる入浴介助装置は、浴槽の上縁であるリムの一部に取付けられるフレームと、フレームに取付けられた昇降装置と、昇降装置から導出された４本のテープワイヤと、４本のテープワイヤに連結された座面を備えている。そして、このような４本のワイヤ吊り下げ式の構造によって座面が揺れてしまうのを解消した入浴介助装置も知られている（例えば、特許文献２及び特許文献３参照）。
【０００３】
特許文献２に記載の入浴介助装置は、浴槽のリムの一部に取付けられたフレームと、フレームの一部に取付けられた昇降部と、昇降部の前面に取付けられたガイドと、ガイドに取付けられた座面とを有している。なお、ガイドは１段で構成され、昇降部からベルトが導出してベルトの巻き取りや繰り出しによって座面を昇降させるようになっている。
【０００４】
また、特許文献３に記載の入浴介助装置は、浴槽のリムの一部に取付けられるフレームと、フレームによって支持される昇降装置と、昇降装置に取付けられた伸縮ガイドと、伸縮ガイドの先端部に取付けられた座面とを備えている。なお、この伸縮ガイドは、各ガイドの中にガイドローラを収容してこのローラを介してガイド自体を伸縮する構造となっている。
【０００５】
【特許文献１】特開平４−３００５４８（３−５頁、図１）
【特許文献２】特開２０００−２５４１９７（３−４頁、図１）
【特許文献３】特開２００２−６５８０１（５−７頁、図１）
【発明の開示】
【発明が解決しようとする課題】
【０００６】
特許文献２及び特許文献３に記載の入浴介助装置は、特許文献１に記載の入浴介助装置のように座面を４本のテープワイヤで吊り下げた構造を有していないため、座面の安定性では優れている。また、浴槽のリムに載せることで浴槽への後付けを可能としている。しかしながら、特許文献２に記載の入浴介助装置は一段のスライドガイドを用いて座面が浴槽のリムの高さから浴槽の底面まで昇降するようになっている。そのため、座面に取付けられたスライダがスライドガイドに完全に収容されるようにスライドガイドの長さを十分にとらなければならない。従って、入浴介助装置を浴槽に取付けるとスライドガイドが浴槽の上方にかなり延在して入浴介助装置全体の重心が高くなる。そのため、入浴介助装置自体を浴槽のリムに載せる構成と相まって、装置本体の自重が浴槽にかかり、浴槽後方（浴槽内と反対側）に倒れ易くなるので、例えば浴槽に特別に固定穴を開けて入浴介助装置を固定しなければならない。
【０００７】
また、特許文献３に記載の入浴介助装置には、上述の一段ガイドの代わりに多段伸縮ガイドを用いている。この多段ガイドはスライダ内の各ガイドにローラを取付けた構造を有し、座面が最上位置で背凭れの上方に位置する駆動装置によって背凭れの後側に接続したベルトを巻き取る構造を有している。そのため、伸縮ガイドを多段にはしているが、巻き取り構造に関して装置自体の高さが低く抑えられていない。その結果、装置自体の重心が高くなり、やはり装置自体の後方への倒れの問題が生じる。これを解決するために、例えば浴槽に特別に固定穴を開けて入浴介助装置を固定しなければならない。
【０００８】
また、ガイド内にローラを備える構造のため、多段ガイド全体が太くなり、座面と浴槽壁面との隙間が大きくなって浴槽を広く使えない。
【０００９】
また、座面が最上位置にある状態で昇降装置の高さが背凭れよりかなり高い位置にあると、介助者が被介助者の肩を後方から抱えたり頭を後方から支えたりする作業が行いにくくなり、介助に支障をきたす。
【００１０】
また、これらの特許文献２及び特許文献３に記載の入浴介助装置を浴槽に取付けると、装置自体の高さが浴槽のリムよりかなり高くなるので、浴室内の浴槽上方の空間を装置自体がかなり占有してしまい、浴室が見た目で狭くなるという問題も生じる。
【００１１】
なお、上述の特許文献３に記載の多段ガイドを用いた入浴介助装置とは異なり、多段ガイドを用いた入浴介助装置であって全体の重心が低い入浴介助装置であれば、浴槽のリム上に複雑な拘束手段を用いたり浴槽のリムに追加工をすることなく、入浴介助装置自体を浴槽のリム上に設置場所をとらない状態で簡単に載せることができ、加えてこのように簡単に載せた状態で浴槽後方に倒れ難くできるので、このような入浴介助装置が望まれる。
【００１２】
本発明の目的は、浴槽への取付けが簡単に行え、かつ被介助者の座面への移乗を行い易い入浴介助装置を提供することにある。
【課題を解決するための手段】
【００１３】
上述した課題を解決するために、本発明にかかる入浴介助装置は、浴槽のリム上の所定位置に設置するフレームと、フレーム上に取付けられた昇降装置と、昇降装置の一部に取付けられた背凭れ付きの座面とを備え、昇降装置には多段ガイドが取付けられて、当該多段ガイドを介して座面が昇降するようになった入浴介助装置において、入浴介助装置の浴槽への取付け状態で見て座面が最上位置にある場合に背凭れの高さと多段ガイドの高さが同程度であり、座面が浴槽の底面に到達するように伸出できる程度の段数を多段ガイドが少なくとも有している。
【００１４】
多段ガイドの高さを座面の背凭れの高さと同程度とすることで、入浴介助装置の重心を高さ方向に抑えることができ、入浴介助装置の浴槽後方への倒れを防止できる。これによって、入浴介助装置の浴槽への取付けが簡単に行えるようになる。また、多段ガイドが高さ方向に突出していないので、被介助者の移乗の際に介助者が被介助者の後方から頭を支えたり肩を抱えることができ、被介助者の移乗が行い易くなる。
【００１５】
また、本発明の請求項２に記載の入浴介助装置は、請求項１に記載の入浴介助装置において、昇降装置がワイヤを巻き上げたり繰り出したりして座面の昇降を行うようになっており、当該ワイヤの端部が座面より下方に連結している。
【００１６】
この部分でワイヤを座面に連結して座面を昇降させることで、座面の上昇時にワイヤにかかる張力の作用方向と多段ガイドの伸縮方向を近づけることができるようになり、昇降装置によるワイヤの巻き上げを小さな駆動力で効率的に行うことができる。
【００１７】
従って、昇降装置の高さを低く設置しても、ワイヤの巻き上げ方向と多段ガイドの伸縮方向を近づけることができるので、入浴介助装置自体の高さを低くすることが可能となる。
【００１８】
また、本発明の請求項３に記載の入浴介助装置は、請求項１又は請求項２に記載の入浴介助装置において、昇降装置がワイヤを巻き上げたり繰り出したりして座面の昇降を行うようになっており、当該ワイヤが昇降装置の座面取付側に備わったプーリを介して巻き上げたり繰り出されるようになったことを特徴としている。
【００１９】
ワイヤをこのように配索することで、座面の上昇時にワイヤにかかる張力の作用方向と多段ガイドの伸縮方向を近づけることができるようになり、昇降装置によるワイヤの巻き取りを小さな駆動力で効率的に行うことができる。また、昇降に伴うワイヤ角度の変化を少なくできることで、例えば昇降装置の外ケースに形成されたワイヤ出口の開口幅を小さくすることも可能となる。従って、外観上も好ましく、被介助者の指や髪の毛の巻き込みも起り難くなる。
【００２０】
また、本発明の請求項４に記載の入浴介助装置は、請求項１乃至請求項３の何れかに記載の入浴介助装置において、ワイヤの座面との接続部分は、当該座面の背凭れ側端部と、多段ガイドの伸縮方向と当該座面の形成面との交差点との間で、座面側に位置したことを特徴としている。
【００２１】
被介助者の体重が座面にかかることでワイヤと座面との接続部分を中心としたモーメントが多段ガイドの最下段に作用するが、このようなワイヤの接続位置関係とすることで、このモーメントによる多段ガイドの最下段に生じる曲げ応力を小さくすることができる。
【００２２】
また、本発明の請求項５に記載の入浴介助装置は、請求項１乃至請求項４の何れかに記載の入浴介助装置において、多段ガイドを多重の円管で構成したことを特徴としている。
【００２３】
多段ガイドが全て円管でできているので、多段ガイドの前後方向の揺れや左右方向の揺れに対して強度を均等に保つことができる。
【００２４】
また、本発明の請求項６に記載の入浴介助装置は、請求項１乃至請求項４の何れかに記載の入浴介助装置において、多段ガイドを多重の角管で構成したことを特徴としている。
【００２５】
多段ガイドが全て角管でできているので、同様の寸法の円管でできた多段ガイドに較べて曲げ強度を向上させることができる。そのため、円管でできた多段ガイドに較べて同等の強度を有するより小さな寸法の多段ガイドを入浴介助装置に備えることができ、浴槽内のスペースをより広くとることが可能となる。
【００２６】
また、本発明の請求項７に記載の入浴介助装置は、請求項１乃至請求項６の何れかに記載の入浴介助装置において、多段ガイドを２列に配置したことを特徴としている。
【００２７】
多段ガイドを２列に配置することで、座面と多段ガイドとのすき間を大きくすることなく、多段ガイドの強度を確保できる。これによって、座面を浴槽の壁面に近づけることができ、浴槽内を広く利用することができる。
【００２８】
また、本発明の請求項８に記載の入浴介助装置は、請求項７に記載の入浴介助装置において、２列の多段ガイド同士を橋渡ししたことを特徴としている。
【００２９】
２列の多段ガイドを橋渡すことでこれらを同時に伸縮させることができ、座面の昇降を滑らかに行えるようになる。
【００３０】
また、本発明の請求項９に記載の入浴介助装置は、請求項１乃至請求項８の何れかに記載の入浴介助装置において、多段ガイドの完全な伸び出し時に当該多段ガイドを構成する各パイプの重なり部分の長さが少なくとも一箇所他の重なり部分の長さと異なることを特徴としている。
【００３１】
多段ガイドの最も太いガイドとこれに摺接する内側ガイドの重なり部分を最も長くし、多段ガイドの最も細いガイドとこれに摺接する外側ガイドの重なり部分を最も短くすることで、各ガイド同士のがたつきを小さく抑えつつ、多段ガイドの伸出時の全長を長くすることができる。これによって、多段ガイドの高さを座面の背凭れの高さと同程度に抑えつつ、座面の下降量をかなり大きくとることができる。また、このような構成は、多段ガイドの伸縮量を規制するストッパを多段ガイド内に設けておけば良く、簡単な構成で実現できる。
【００３２】
また、本発明の請求項１０に記載の入浴介助装置は、請求項１乃至請求項９の何れかに記載の入浴介助装置において、多段ガイドを構成する各パイプの肉厚に関して、最も細いパイプの肉厚が最も大きくなっていることを特徴としている。
【００３３】
多段ガイドの強度的に一番弱いパイプのみ強度を向上させることで、多段ガイド自体の小型化を図りつつ、多段ガイド全体の強度を十分に確保できる。
【発明の効果】
【００３４】
本発明によると、浴槽への取付けが簡単に行えかつ被介助者の座面への移乗がやり易い入浴介助装置を実現できる。また、入浴介助装置の浴槽後方への倒れを防止することができる。
【００３５】
また、ワイヤやプーリを介して座面を昇降する場合において、昇降装置によるワイヤの巻き上げを効率的に行うことができる。また、ワイヤと座面の接続部分の位置を特定することで、多段ガイドの最下段に大きな曲げ応力が発生するのを防止する。
【００３６】
また、多段ガイドを円管とすることで、多段ガイドの前後方向の揺れや左右方向の揺れに対して強度を均等に保つことができる。また、多段ガイドを多重の角管とすることで、円管でできた多段ガイドに較べてより小さな寸法で同等の強度を有する多段ガイドにでき、入浴介助装置の小型化を図れる。また、多段ガイドを２列に配置することで、座面とガイドのすき間を大きくすることなく、強度を確保したまま入浴介助装置の小型化を図れる。これらによって、浴槽内壁に入浴介助装置の座面を近づけることができ、浴槽を広く使えるようになる。
【００３７】
また、２列の多段ガイドを橋渡すことで、座面の昇降を滑らかに行えるようになる。また、多段ガイドの完全な伸び出し時に当該多段ガイドを構成する各パイプの重なり部分の長さが異なるようにすることで、各ガイド同士のがたつきを小さく抑えつつ、多段ガイドの伸出時の全長を長くすることができる。
【００３８】
また、多段ガイドを構成する各パイプの肉厚に関して、最も細いパイプの肉厚を最も大きくすることで、多段ガイドを小型化しつつ多段ガイド全体の強度を十分に確保できる。
【発明を実施するための最良の形態】
【００３９】
以下、本発明の一実施形態にかかる入浴介助装置について説明する。本発明の一実施形態にかかる入浴介助装置１は、図１に示すように、浴槽のリムの一端側に載せられる支持フレーム２０と、支持フレーム２０に取付けられた昇降装置３０と、伸縮ガイドを介して昇降装置３０に取付けられた背凭れ付きのシート５０とを備えている。
【００４０】
そして、伸縮ガイドには多段ガイド４０が用いられている。また、昇降装置３０には、図３に示すようにドラム３５０とドラム３５０を駆動するモータ３２３が取付けられ、当該ドラム３５０に巻かれたワイヤ１００をモータ３２３によって巻き上げたり繰り出したりすることで、ワイヤ端部に接続した背凭れ付きのシート５０を多段ガイド４０の伸縮とともに昇降するようになっている。なお、多段ガイド４０にはテレスコピック型の多段ガイドを用いることによって、昇降装置３０の高さをシート５０の背凭れ５４０の高さとほぼ同等に抑えている。
【００４１】
以下、各構成についてより詳細に説明する。支持フレーム２０は、図２及び図４に示すように、浴槽のリムに取付けた状態において上面視で角型Ｃ字形状を有し、浴槽の一端側リムに載せられるメインフレーム２１０と、メインフレーム２１０の両端に取付けられ、浴槽の側方リムに載せられる２本のサイドフレーム２２０を備えている。支持フレーム２０は、ステンレスの角パイプでできており、メインフレーム２１０の両端からサイドフレーム２２０の一部が挿入されており、サイドフレーム２２０の一部がメインフレーム２１０に対してスライド可能となってサイドフレーム同士の間隔を調整可能にしている。また、サイドフレーム２２０はメインフレーム２１０に対して図示しないネジ等の締結手段によってサイドフレーム同士が適当な間隔を保ったまま固定されるようになっている。また、サイドフレーム２２０の一部には抑えプレート２３０が備わり、抑えプレート２３０を浴槽の内壁に押し当てることによってサイドフレーム２２０の位置決め及び支持フレーム２０のずれ防止を行うようになっている。
【００４２】
このように支持フレーム２０は各サイドフレーム２２０がメインフレーム２１０に対してスライド可能となっており、サイドフレーム２２０の幅調整を可能としているので、入浴介助装置１を様々な形状及び大きさの浴槽のリムに取付け可能となっている。また、支持フレーム２０に備わった抑えプレート２３０がサイドフレーム２２０の幅調整時のストッパとしての役目を果たすことで、入浴介助装置１を浴槽に取付けた後に入浴介助装置本体の位置ずれを防止することができる。
【００４３】
一方、メインフレーム２１０の中央部分には昇降装置３０が取付けられている。昇降装置３０は、図３及び図４に示すように、入浴介助装置１を浴槽に取付けてシート５０を最上位置に保った状態で、昇降装置３０（図３参照）とシート５０を一定の角度範囲内で水平方向に回転させる回転部３１０と、回転部３１０の上方に取付けられかつ多段ガイド４０を介してシート５０を支持する本体フレーム３２０と、本体フレーム３２０の内側に設けられた昇降駆動部３３０と、本体フレーム３２０に取付けられた多段ガイド４０とを有している。なお、昇降装置３０はここでは図示しないが、装置カバーで全体的に覆われている。
【００４４】
回転部３１０は、支持フレーム２０にベースプレート３１１を介して一体に取付けられたベアリング台３１２と、ベアリング台３１２に対して回転自在に取付けられたベアリング３１４と、ベアリング３１４に固定されたカムリング３１５と、カムリング３１５の所定位置に形成された切欠き部に係合するストッパ（図示せず）と、カムリング３１５に固定された回転軸を有しかつ本体フレーム３２０を支持する回転台３１９とを備えている。
【００４５】
そして、本体フレーム３２０に取付けられた回転レバー３２９（図１及び図２参照）を操作することによって図示しない操作ワイヤが引っ張られ、カムリング３１５の切欠き部とストッパとの係合が解除するようになっている。すなわち、通常、ストッパがカムリング３１５に係合しているので、昇降装置３０が所定の位置で停止し、回転レバー３２９を操作することでストッパをカムリング３１５から係合解除させると、昇降装置３０及び上限位置にあるシート５０を予め定められた一定の角度内で水平に回転できるようになっている。これによって、上限位置にあるシート５０を浴槽のリム側に移動させ、被介助者が浴槽外からシート５０に乗り移り易くしている。また、一旦、シート５０に被介助者が座った後は、回転レバー３２９の操作によってストッパとカムリング３１５との係合を解除し、シート５０を水平方向に回転させてシート５０を浴槽内上方に移動させることで、被介助者の移乗性向上を図っている。
【００４６】
続いて、回転台３１９に備わったワイヤ駆動部の構造について説明する。回転台３１９にはステンレスのパイプからなる本体フレーム３２０と、本体フレーム３２０に取付けられた駆動部取付けベース３２１と、駆動部取付けベース３２１の上方に取付けられたドラム３５０と、ドラム３５０から繰り出し又はドラム３５０で巻き取り可能なワイヤ１００と、ドラム３５０を回転させてワイヤ１００の繰り出し及び巻き取りを行うモータ３２３と、モータ３２３を駆動するバッテリ（図示せず）と、座面の昇降を制御する制御装置（図示せず）と、昇降スイッチを有したスイッチボックス（図示せず）を備えている。
【００４７】
また、本体フレーム３２０の一部には上述した回転レバー３２９が備わり、回転レバー３２９の操作によって上述したようにシート上限位置における一定角度範囲内の水平方向の回転を可能としている。
【００４８】
一方、ドラム３５０は、ドラム回転ボス３５１及びドラム支持板３５２によって本体フレーム３２０に回転可能に支持されている。また、ドラム３５０には一端がシート５０に結合したワイヤ１００の他端側が巻き付けられている。そして、ドラム３５０に巻かれたワイヤ１００はワイヤガイド３３１によってドラム周面からのふくらみが抑えられるとともにワイヤ押さえ３３２によってもドラム周面からのふくらみが抑えられている。また、ワイヤ１００の撓みによる座面の浴槽壁部への到達を検知するリミットスイッチ（図示せず）とワイヤ巻き取りによる座面の最上位置を検知するリミットスイッチ（図示せず）が本体フレーム３２０の適所に備わっている。
【００４９】
また、本体フレーム３２０のシート側前面部分にはプーリ軸及びプーリ台を介してプーリ３７０が備わっている。すなわち、プーリ３７０は、多段ガイド４０における第１のガイド４１０の下方部分であって昇降装置３０の本体フレーム３２０に取付けられている。そして、本体フレーム３２０の中間位置に配置されたドラム３５０から繰り出したワイヤ１００がプーリ３７０を介して多段ガイド４０の最下段ガイドにおける一方の連結部４４５に接続されている。
【００５０】
多段ガイド４０は、図２に示すように、２列に配置した円筒状の多段ガイドであり、ガイド収容部をなす第１のガイド４１０と、この内側に摺動可能に備わる第２のガイド４２０と、さらにこの内側に摺動可能に備わる第３のガイド４３０と、最も内側に収納可能に備わる第４のガイド４４０からなるテレスコピックタイプの多段伸縮ガイドである。
【００５１】
なお、多段ガイド４０は、全てステンレスでできており、浴槽内での長期間の使用に耐えられるようになっている。また、第１のガイド４１０の上部にはキャップ４１５が嵌められ、第１のガイド上部からの内側ガイドの突出を防止している。また、第２のガイド４２０には第２のガイド同士の間隔を保持するための第１架橋板４２５が取付けられ、第３のガイド４３０にも第３のガイド同士の間隔を保持する第２架橋板４３５が取付けられている。なお、第１架橋板４２５と第２架橋板４３５は多段ガイド昇降時の各段の左右ガイドを同期させて多段ガイド４０の滑らかな伸縮を可能にする役目を果たしている。
【００５２】
一方、第４のガイド４４０の下端部は、取付け状態で水平方向に延在しており、図３に一部を示す２つの連結部４４５，４４６を介して互いに連結されている。そして、昇降装置側の一方の連結部４４５にワイヤ１００の一端が連結されている。
【００５３】
多段ガイド４０は、ここでは詳細には図示しないが、各ガイドの上端部に半割構造の外側ライナが備わり、各ガイドの下端部にはリング状のストッパ及び内側ライナが備わっている。そして、第１のガイド４１０乃至第３のガイド４３０の内周には摺動シートが備わり、外側のガイドの摺動シートに対してこれに隣接する内側のガイドの外側ライナが摺動することで、外側のガイドから内側のガイドが伸出するようになっている。また、内側ライナはストッパとともに各ガイドの下端にネジ止めされ、このガイドに摺設する内側ガイドの外側ライナが外側ガイドの内側ライナに突き当たることで、内側ガイドの抜けを防止している。
【００５４】
４段からなる多段ガイド４０は、図２に示すように多段ガイド４０を完全に伸ばした状態で、図６に示すように第１のガイド４１０に対する第２のガイド４２０の入り込み長さ（互いの重なり代）Ｌａが最も大きく、第３のガイド４３０に対する第４のガイド４４０の入り込み長さ（互いの重なり代）Ｌｃが最も短くなっている。
【００５５】
また、ガイド同士のがたつきを小さくするに際し、ガイドの外径が大きい場合と小さい場合とでは、ガイドの外径が小さい場合には、入り込み長さを小さくすることができる。従って、がたつきを抑えるために必要以上に入り込み長さを確保する必要がなく、多段ガイド４０を縮めた状態で全長を短くできる一方、多段ガイド４０を伸ばした状態で全長をかなり長くできる。
【００５６】
これによって、多段ガイド４０のがたつきを最小限に抑えつつ、かつ多段ガイド４０が縮んだときの長さを短くし、かつ多段ガイド４０の直線部の全長（Ｌ１＋Ｌ２＋Ｌ３＋Ｌ４）を例えば６００ｍｍ程度まで長くすることができ、一般家庭で使用される浴槽の中で、かなり深さのある浴槽にも座面を浴槽底部まで到達可能としている。
【００５７】
このように、多段ガイドの伸出長を６００ｍｍ程度まで十分確保した場合であっても、ガイド長すなわち多段ガイドが縮んだ時の長さを３００ｍｍ程度に抑えることができる。従って、回転部３１０の必要寸法等を確保した上でも、介助装置自体の高さを３５０ｍｍ程度に低く抑えることができる。
【００５８】
一方、多段ガイド４０には可動カバー４５０が取付けられている（図４及び図５にのみ図示）。なお、可動カバー４５０はＣ形のリングストッパを介して第１のガイド４１０にスライド可能に取付けられ、第２のガイド４２０が伸出することで背凭れ部５４０と共に下降するようになっている。これによって、可動カバー４５０は昇降装置３０からのワイヤ繰り出し部３３５（図２参照）を覆い隠すとともに、シート５０が下降する過程において生じるワイヤ露出部３３６（図２参照）を覆い隠す役目を果たしている。更に、可動カバー４５０の上部は湾曲して２列の第１のガイド間に入り込んでおり、湾曲部４５１が被介助者の頭載せ部４５５となっている。
【００５９】
続いて、背凭れ付きのシート５０について説明する。
【００６０】
背凭れ付きのシート５０は、図１に示すように、断面丸型のステンレスからなるパイプをシート状に折り曲げたシートフレーム５１０と、同じく断面丸型のパイプでできておりシートフレーム５１０の一部に設けられたアームレスト５２０と、シートフレーム５１０の着座位置に取付けられた座面５３０と、シートフレーム５１０の背凭れ位置に取付けられた背凭れ部５４０とを有している。そして、シートフレーム５１０の一部を上述した多段ガイド４０の第４のガイド４４０及びこの連結部４４６に適当な締結具で結合することで、シート５０が多段ガイド４０にしっかりと固定されている。
【００６１】
なお、背凭れ部５４０の高さは、座面５３０の上限位置で多段ガイド４０の上端部と同等の高さとなっている。より具体的には、背凭れ部５４０の高さは、例えば２００ｍｍ乃至４００ｍｍ、好ましくは３５０ｍｍ程度であり、被介助者がシート５０に座った状態でその上端が被介助者の肩胛骨の下程度に位置するようになっている。なお、この程度の高さであれば、背凭れ部５４０が高すぎずに介助者の足を上げ易く、かつ低過ぎずに被介助者の上半身を支えるのに十分な高さといえる。
【００６２】
続いて、本実施形態にかかる入浴介助装置１の実際の使用方法について説明する。まず、図４に示すように、入浴介助装置１を浴槽のリムの一側縁部に載せる。そして、支持フレーム２０のサイドフレーム２２０に備わった抑えプレート２３０が浴槽の内壁側面に突き当たるまでサイドフレーム２２０を幅調整する。サイドフレーム２２０が幅方向適所に位置決めされた後に、サイドフレーム２２０とメインフレーム２１０との固定を図示しないネジ等の締め付けで行う。このようにして、入浴介助装置１を浴槽のリムに簡単に取付けることができる。
【００６３】
なお、上述したように、多段ガイド４０の上端部は背凭れ部５４０の上端部とほぼ同等の高さであるので、入浴介助装置自体の重心の位置が低くなり、特許文献２及び特許文献３に記載した入浴介助装置に比べて装置自体の浴槽後方への倒れが生じにくい。
【００６４】
次いで、被介助者をシート５０に座らせる。この際、入浴介助装置１の昇降装置３０に備わった回転レバー３２９を握ってカムリング３１５とストッパとの係合を解除する。これによって、シート５０を一定の角度範囲内で水平に回転させることができ、シート５０を浴槽の側方リムを越えて初期の回転位置に対して約９０度程度まで回転させる。そして、この時点で回転レバー３２９を放して、ストッパとカムリング３１５とを係合させ、シート５０が９０度回転した位置でシート５０を固定する。
【００６５】
そして、入浴介助装置１のシート５０に被介助者を乗せる。これによって、被介助者に浴槽のリムを跨らせることなくシート５０に座らせることができる。また、多段ガイド４０の上端部の高さが背凭れ部５４０の高さと同程度であるので、介助者が被介助者をシート５０に座らせる場合に、介助者が被介助者の肩を抱えたり頭を支えながら被介助者をシート５０に座らせることができるので、介助が行い易い。
【００６６】
ここで、シート５０の回転角度は９０度以下でも良く、例えば４５度とすることができる。このような回転角度に制限した入浴介助装置１は、特に浴室が狭く、シート５０を９０度回すと浴室の壁や壁に取付けてある水栓が邪魔で介助し難いといった場合の使用に適している。
【００６７】
続いて、回転レバー３２９を握ってカムリング３１５とストッパとの係合を再び解除し、シート５０の回転を可能にして被介助者を浴槽内上方まで移動させる。この際、多段ガイド４０の上端部の高さがシート５０の背凭れ部程度の高さに抑えられているので、シート５０の移動中、介助者が被介助者の肩を抱えたり頭や首を支えたりしながらシート５０を容易に回転させることができる。また、多段ガイド４０の高さがシート５０の背凭れ部５４０と同程度であることで、被介助者の足を介助者が持ち上げてリムを跨らせる場合、被介助者の上半身を若干後ろに倒しながら足を持ち上げることができ、面倒な足の持ち上げ動作を簡単に行うことができる。
【００６８】
続いて、シート５０が浴槽のちょうど上方部分に達したときに回転レバー３２９を放してストッパとカムリング３１５とを再び係合させる。これによって、シート５０は浴槽の上方位置の適所で固定される。
【００６９】
続いて、図５に示すようにシート５０を浴槽の底部まで下降させる。この下降に際しては、入浴介助装置１を制御する制御装置に備わったスイッチボックスの下降ボタンを押す。これによって、入浴介助装置１に備わったバッテリの電力を用いてモータ３２３を駆動し、ドラム３５０に巻かれたワイヤ１００を昇降装置３０からプーリ３７０（図２参照）を介して繰り出させ、シート５０を下降させる。この下降にあたっては、多段ガイド４０がテレスコピックタイプの多段ガイドとなっており、かつ２本の多段ガイド間が架橋構造となっているので、座面を滑らかに下降させることができ、被介助者の快適な入浴を可能とする。
【００７０】
また、昇降装置３０には可動カバー４５０が備わっており、シート５０が上限位置にあるときはワイヤ１００の昇降装置からワイヤ繰り出し部３３５（図２参照）を覆い、かつシート５０が下降するに従って一定の高さまで可動カバー４５０が下降するようになっている。そして、シート５０が下降したときに背凭れ部５４０と可動カバー４５０とが協働してワイヤ繰り出し部３３５と繰り出したワイヤ１００とを覆い隠すことができる。これに加えて、被介助者は可動カバー上部の頭載せ部４５５に頭を載せることができる。これによって、被介助者の快適な入浴を可能にする。なお、ワイヤ１００は被介助者の体重を充分支えるような強度でできており、モータ３２３は、ウォームギヤを介して減速するようになっているので、シート５０の昇降をゆっくりと快適に行うことができる。また、ウォームギヤを用いることでクラッチなどの複雑な構造を必要としないので、昇降装置３０の部品点数を削減できる。
【００７１】
シート５０が浴槽の底部に到達すると、ワイヤ１００が撓んで図示しないリミットスイッチがこの撓みを検知し、モータ３２３によるワイヤ１００の繰り出しを停止する。
【００７２】
なお、図６に示したように多段ガイド４０が最も伸びた状態で多段ガイド４０の最も太いパイプとこれに摺動するパイプの重なり代Ｌａが最も大きく、多段ガイド４０の最も細いパイプとこれに摺動するパイプとの重なり代Ｌｃが最も小さくなっているので、多段ガイド４０の上端部がシート５０の背凭れ部５４０の高さと同程度であるにもかかわらず、多段ガイド４０を十分な長さに伸出させることができる。これによって、シート５０を様々な深さの浴槽の底部まで完全に到達させることが可能となる。すなわち、入浴介助装置１は、深さが深い浴槽であっても対応することが可能である。
【００７３】
また、多段ガイド間からワイヤ１００を繰り出して多段ガイド間を通って座面下方にワイヤ端部を接続しており、従来のように座面の四隅をワイヤで吊るような構造を取っていない。そのため、シート５０の揺れが無くなるのはもちろん、シート５０の側方部分にワイヤを配置させる必要がなくなり、浴槽内のシート５０の側方を有効な入浴スペースとして活用することができる。また、浴槽によっては側壁形状が湾曲しているような特殊な形状の浴槽もあるが、このような側壁部が直線的ではない浴槽に対しても、この入浴介助装置１を利用することができる。
【００７４】
また、本実施形態にかかる入浴介助装置は、シート５０の昇降は入浴介助装置１に備わったモータ３２３とバッテリによってワイヤ１００を繰り出したり巻き取ったりすることで行われ、家庭用電源などから電力を供給するタイプの入浴介助装置ではない。すなわち、バッテリの電力だけでシート５０を昇降させることができるので、入浴時に仮に停電になったとしてもシート５０の昇降に関して影響を受けることはない。
【００７５】
また、ワイヤ１００はプーリ３７０を介してしてドラム３５０から繰り出されたりドラム３５０に巻き取られたりするようになっており、その繰り出し方向や巻き取り方向が多段ガイド４０の伸出方向とかなり近くなっているので、モータ３２３の駆動力をシート５０の昇降に効率的に伝えることができる。そのため、低消費電力でシート５０の昇降を行うことができ、バッテリの小型化や長寿命化を実現できる。
【００７６】
さらには、図７（ｂ）に示すように、ワイヤ１００の端部は、座面５３０の後方であって座面５３０の形成面と多段ガイド４０の伸縮方向との交差点と、座面５３０の後端部との間で、座面側に近い位置で連結されている（図７（ａ）、図７（ｂ）ではプーリは図示省略）。そのため、図７（ａ）に示した場合と比較して明らかなように、被介助者の体重によって多段ガイド４０の連結部を支点としてモーメントが発生するが、このモーメントによって最下段ガイド（第４のガイド４４０）のパイプの曲げ部分に作用する応力を極力小さくできる。これによって、第４のガイド４４０と第３のガイド４３０とが磨耗によりせることはない。
【００７７】
すなわち、図７（ａ）の場合、パイプ曲げ部にかかる力をＦ、ワイヤとパイプの接続部を支点としたモーメントをＭとすると、近似的にＭ＝Ｗ×ａ＝Ｆ１×（Ｌ０−ａ）となる。従って、Ｆ１＝Ｗ×ａ／（Ｌ０−ａ）となる。また、図７（ｂ）の場合、Ｆ２＝Ｗ×ｂ／（Ｌ０−ｂ）となり、ａ＞ｂのため、Ｆ１＞Ｆ２となり、本実施形態の場合における第４のガイド４４０の曲げ部に生じる曲げ応力を小さくできることが分る。なお、図７（ａ）の構造に比べて図７（ｂ）の構造の方がワイヤ巻上げに関してモータの駆動力を余分に必要とするが、近年の小型モータはこれに十分耐えるだけの駆動力を有しており、図７（ｂ）に示すように第４のガイド４４０の曲げ部に過大な曲げ応力を発生させないことによる利点の方が大きい。
【００７８】
また、多段ガイド４０は２列配置されているので、強度を十分確保しつつ多段ガイド自体を小型化することができ、昇降装置３０とシート５０との間隔を狭めることができる。その結果、シート５０が浴槽の壁面近傍に沿って昇降できるようになり、浴槽内をより広く利用することが可能になる。
【００７９】
また、多段ガイド４０の第４のガイド４４０を構成する最も細いパイプの肉厚は他のパイプの肉厚よりも厚くなっている。これによって、多段ガイド４０の最下段のパイプを細くすることができ、結果的に多段ガイド全体のパイプ径も小さくすることができる。その結果、昇降装置自体の小型化を図ることが可能となり、浴槽内を広く利用することができる。
【００８０】
このようにしてシート５０を浴槽の底部まで到達させて被介助者の入浴を終了した後、再び制御装置に接続されたスイッチボックスの上昇ボタンを押してシート５０を上昇させる。この場合、上述したように第４のガイド４４０のパイプ曲げ部に過大な曲げ応力が発生しないことと、平行するガイド同士を第１及び第２架橋板４２５，４３５で連結していることから、シート５０を滑らかに上昇させることができる。
【００８１】
このようにして、シート５０を再び最上位置まで上昇させ、リミットスイッチの検知によりシート５５を上限位置で停止させた後、介助者が被介助者の肩を抱えたり首や頭を支えながら、被介助者の上半身を後ろに若干倒して被介助者の足を持ち上げる。そして、回転レバー３２９を握り、昇降装置３０のカムリング３１５とストッパとの係合を解除して座面を回転させる。この際、多段ガイド４０の上端部が座面の背凭れ部５４０の高さと同等の高さであり、かつ背凭れ部の上側が介助スペースとして確保できるので、上述したように被介助者を若干後ろに倒すことができ、これによって被介助者の足を介助者が持ち上げ易くなり、浴槽のリムを容易にまたがせることができる。このようにしてシート５０を回転させて座面５３０がリムを超えたところで回転レバー３２９を離し、カムリング３１５とストッパとを再度係合させてシート５０を固定する。そして、この時点で被介助者を浴槽の外に降ろし、被介助者の入浴を終える。これによって入浴後の被介助者の移乗性も向上させることができる。
【００８２】
本実施形態にかかる入浴介助装置１は、以上説明したことに加えて、入浴介助装置全体が簡単な構造となっており、支持フレーム２０、昇降装置３０、シート５０をそれぞれ簡単に取り外すことができる。そのため、このような入浴介助装置１をレンタル品として提供したときに、支持フレーム２０、シート５０、昇降装置３０を各ユニットとして取り換えることができ、レンタル品としての回収時のメンテナンス性を向上させる。
【００８３】
なお、上述した実施形態のように円形のテレスコピックタイプの多段ガイドを２本並べた形態とする代わりに、その変形例として、図８に示すように断面角型の多段ガイド６０を１本だけ昇降装置３０’に取付け、昇降装置３０’のドラム３５０’から繰り出されたワイヤ１００を多段ガイド６０の上方部分に配置したプーリ３７０’を介して多段ガイド６０の最下段部分の適所に連結し、ワイヤ１００を多段ガイド６０の内側に通す構成としても良い。
【００８４】
このように1本の多段ガイド６０であっても横幅を広くすることによって、十分な強度を確保することができる。これによって、多段ガイドを２本用いることがなく、省スペースを図ることが可能となる。また、この場合、多段ガイドの最下段のガイドに座面取付け用の支持シャフト６１を設け、シート５５を着脱可能に取付けようにしても良い。
【００８５】
また、上述の実施形態と異なり、図９に示すようにモータ７２３に接続されたワイヤ巻き取り繰り出し用のドラム７５０を昇降装置７０の下方に取付けるとともに、プーリ７７０を昇降装置７０の座面側（前面側）であって昇降装置７０の上部に取付け、ワイヤ１００の一端をシート５０より下方に接続しても良い。
【００８６】
また、プーリを介して巻き上げるように構成すれば、プーリの位置によって巻き上げる際の角度を小さくすることができる。すなわち、図９のプーリ７７０’のようにプーリをより上方に配置すれば、ワイヤの巻き上げ角度を小さくすることができ（図９の巻き上げ角度θ’参照）、モータをプーリより下方に配置して、重心を低くすることも可能となる。
【００８７】
これによって、小さなモータ駆動力でシート５０の昇降を行えるようになり、バッテリの長寿命化を図ることができるので、省エネルギの観点から好ましい。
【００８８】
また、上述の実施形態における入浴介助装置の多段ガイドに関して、断面円形のパイプを用いる代わりに、断面四角のパイプを用いても良い。これらのパイプの断面寸法が同等の場合、断面円形のパイプより断面四角のパイプの方が断面二次モーメントが約１．６倍となるので、より全体的に細い多段ガイドで同様の強度を確保できる。その結果、浴槽の壁面と座面との隙間を狭くすることができ、浴槽内をより広く使用できるようになる。
【図面の簡単な説明】
【００８９】
【図１】本発明の一実施形態にかかる入浴介助装置をその座面が上限位置にある状態で斜め側方から見た斜視図である。
【図２】図１に示した入浴介助装置をその座面が下限位置にある状態で斜め側方から示した斜視図である。
【図３】図１に示した入浴介助装置を一部破断して示した斜視図である。
【図４】図１に示す入浴介助装置を、浴槽を一部破断して示した斜視図である。
【図５】図４に示す入浴介助装置を、座面を浴槽の底部まで降下させた状態を、浴槽の一部を破断して示した斜視図である。
【図６】図１に示した入浴介助装置の多段ガイドの構成を示した概略図である。
【図７】ワイヤを多段ガイドの最下段ガイドの昇降装置側に接続した状態を示す図（図７（ａ））、及びワイヤを多段ガイドの最下段ガイドの座面側に接続した状態を示す図（図７（ｂ））である。
【図８】図１に示した本実施形態の変形例を示した斜視図である。
【図９】図１に示した本実施形態の更なる変形例を概略的に示した側面図である。
【符号の説明】
【００９０】
１    入浴介助装置
２０    支持フレーム
３０，３０’    昇降装置
４０    多段ガイド
５０，５５    シート
６０    多段ガイド
６１    支持シャフト
７０    昇降装置
１００    ワイヤ
２１０    メインフレーム
２２０    サイドフレーム
２３０    抑えプレート
３１０    回転部
３１１    ベースプレート
３１２    ベアリング台
３１４    ベアリング
３１５    カムリング
３１９    回転台
３２０    本体フレーム
３２１    駆動部取付けベース
３２３    モータ
３２９    回転レバー
３３０    昇降駆動部
３３１    ワイヤガイド
３３２    ワイヤ押さえ
３３５    ワイヤ繰り出し部
３３６    ワイヤ露出部
３５０，３５０’    ドラム
３５１    ドラム回転ボス
３５２    ドラム支持板
３７０，３７０’    プーリ
４１０    第１のガイド
４１５    キャップ
４２０    第２のガイド
４２５    第１架橋板
４３０    第３のガイド
４３５    第２架橋板
４４０    第４のガイド
４４５，４４６    連結部
４５０    可動カバー
４５１    湾曲部
４５５    頭載せ部
５１０    シートフレーム
５２０    アームレスト
５３０    座面
５４０    背凭れ部
７２３    モータ
７３０    ワイヤ
７５０    ドラム
７７０，７７０’    プーリ
【図１】
2005230191.tif 000003
【図２】
2005230191.tif 000004
【図３】
2005230191.tif 000005
【図４】
2005230191.tif 000006
【図５】
2005230191.tif 000007
【図６】
2005230191.tif 000008
【図７】
2005230191.tif 000009
【図８】
2005230191.tif 000010
【図９】
2005230191.tif 000011